(57)【要約】【課題】  ユーザにとって必要な情報量からなる電子番組表を、誰でも簡単に理解できるユーザインターフェースにより、シンプルな操作で取得することが可能な電子番組表の表示装置を提供する。【解決手段】  本発明の電子番組表作成装置は、電子番組表の表示形態を特定するための表示形態情報が複数種類記憶される文字サイズ設定情報テーブル１０５に記憶された複数の表示形態情報から一つの表示形態情報を選択する第２操作部１０３ｂと、上記第２操作部１０３ｂによって選択された表示形態情報を特定する選択情報が一時的に格納される文字サイズ設定保持部１０６とを備える。文字サイズ設定保持部１０６に格納された表示形態情報に基づいて上記電子番組表を作成するグラフィックス生成部１０４とを備えている。【選択図】  図１
2006246427.tif 000002
【特許請求の範囲】
【請求項１】
ユーザに提示すべき番組情報を表示する番組情報表示装置において、
上記番組情報を表示するための番組情報表示欄を作成する番組情報表示欄作成手段と、
上記番組情報表示欄に表示する番組情報の表示形態を特定するための表示形態情報が複数種類記憶される表示形態情報記憶手段と、
上記表示形態情報記憶手段に記憶された複数の表示形態情報から一つの表示形態情報を選択する表示形態情報選択手段と、
上記表示形態情報選択手段によって選択された表示形態情報を指定する選択情報が一時的に格納される一時格納手段とを備え、
上記番組情報表示欄作成手段は、
上記一時格納手段に格納された選択情報によって指定された表示形態情報が特定する表示形態に基づき、番組情報表示欄を作成することを特徴とする番組情報表示装置。
【請求項２】
上記表示形態情報は、表示される文字の大きさを特定する文字サイズ情報を含み、
上記番組情報表示欄作成手段は、上記文字サイズ情報に基づき、番組情報表示欄を作成することを特徴とする、請求項１に記載の番組情報表示装置。
【請求項３】
上記表示形態情報は、複数の番組情報からなる電子番組表が表示対象とする時間帯および／またはチャネル数を特定する表示量指定情報を含み、
上記番組情報表示欄作成手段は、上記表示量指定情報に基づき、上記電子番組表を作成することを特徴とする、請求項１または２に記載の番組情報表示装置。
【請求項４】
上記表示形態情報選択手段は、ＧＵＩ（Graphical User Interface）画面、および／または、十字キーおよび／またはテンキーで実現されることを特徴とする請求項１から３のいずれか１項に記載の番組情報表示装置。
【請求項５】
さらに、表示形態情報に含まれる情報を設定する表示形態情報設定手段を備え、
上記表示形態情報記憶手段には、上記表示形態情報設定手段によって設定された表示形態情報が追加記憶されることを特徴とする請求項１から４のいずれか１項に記載の番組情報表示装置。
【請求項６】
上記表示形態情報は、上記番組情報表示欄が表示されてから消去されるまでの時間を特定する表示時間情報を含んでいることを特徴とする、請求項１から５いずれか１項に記載の番組情報表示装置。
【請求項７】
上記表示形態情報に含まれる情報に基づき、上記番組情報表示欄が表示されてから消去されるまでの時間を算出し、上記算出した時間を特定する表示時間情報を出力する表示時間算出手段を備えていることを特徴とする、請求項１から５のいずれか１項に記載の番組情報表示装置。
【請求項８】
取得した番組情報から、電子番組表を作成する電子番組表作成装置であって、
上記電子番組表において表示される情報量の違いによる表示形態を特定するための表示形態情報が複数種類記憶される表示形態情報記憶手段と、
上記表示形態情報記憶手段に記憶された複数の表示形態情報から一つの表示形態情報を選択する表示形態情報選択手段と、
上記表示形態情報選択手段によって選択された表示形態情報を特定する選択情報が一時的に格納される一時格納手段とを備え、
上記一時格納手段に格納された選択情報によって特定された表示形態情報と、取得した番組情報とに基づいて上記電子番組表を作成することを特徴とする電子番組表作成装置。
【請求項９】
請求項６または７に記載の番組情報表示装置と、
映像を表示する表示部と、
上記番組情報表示欄作成手段が作成した番組情報表示欄を、上記映像に重ね合わせて上記表示手段に表示させる画像重畳手段と、
上記表示時間情報に基づき上記画像重畳手段の、上記番組情報表示欄を表示させる動作を制御する表示画像制御手段とを備えていることを特徴とするテレビ放送受信装置。
【請求項１０】
請求項１から７のいずれか１項に記載の番組情報表示装置、または、請求項８に記載の電子番組表作成装置を備えたテレビ放送受信装置。
【請求項１１】
ユーザに提示すべき番組情報を表示するための番組情報表示欄を作成する番組情報表示欄作成方法であって、
予め記憶された、上記番組情報表示欄に表示する番組情報の表示形態を特定するための複数種類の表示形態情報から一つの表示形態情報を選択する選択ステップと、
上記選択ステップにおいて選択された表示形態情報を指定する選択情報を一時的に格納する格納ステップと、
上記格納ステップにおいて格納された選択情報によって指定された表示形態情報が特定する表示形態に基づき、上記番組情報表示欄を作成する作成ステップとを含むことを特徴とする番組情報表示欄作成方法。
【請求項１２】
請求項１から７のいずれか１項に記載の番組情報表示装置、請求項８に記載の電子番組表作成装置、または、請求項９に記載のテレビ放送受信装置を動作させるための制御プログラムであって、コンピュータを上記の各手段として機能させるための制御プログラム。
【請求項１３】
請求項１２に記載の制御プログラムを記録したコンピュータ読取可能な記録媒体。
【発明の詳細な説明】
【技術分野】
【０００１】
本発明は、テレビ放送などにより配信される番組の情報をユーザに提供するための、番組情報表示欄、特に、電子番組表を作成する電子番組表作成装置に関するものである。
【背景技術】
【０００２】
近年の情報通信技術のめざましい進展は、産業界のみならず、身近な生活環境にも大きな影響を及ぼしている。インターネットなどの通信分野における急速なデジタル化は言うまでもなく、放送の分野においても、情報源として我々の生活に最も密着していると言ってもよいテレビ放送が、デジタル化により大きく変化しようとしている。デジタル放送により新たにもたらされる利益・サービスはさまざまであるが、中でもユーザの利便性に最も関係が深いサービスとして、電子番組表（ＥＰＧ；Electronic Program Guide）が挙げられる。
【０００３】
電子番組表は、現在新聞などで見られるテレビ放送の番組欄のように、各局の番組情報を電子的に一覧にし、テレビ放送受信装置に表示されるものである。一般的に、電子番組表は、テレビ放送受信装置において、放送局から映像情報や音声情報とともに送信される番組関連情報に基づいて作成される。この電子番組表を利用することにより、ユーザは簡単に見たい番組を選択したり、視聴予約や録画予約を行ったりすることができる。
【０００４】
また、テレビ放送受信装置では、チャンネル番号を映像に重畳して画面上にＯＳＤ(On Screen Display)表示することが一般的に行なわれてきた。さらに、映像に重畳して表示されたＯＳＤ表示画像は、ブラウン管などの表示装置の画面の焼きつきを防ぐため、チャンネル変更時、あるいは、リモコン等からのユーザによる指示入力時に表示されてから、一定時間経過後に消去する表示方法が一般に採用されている。
【０００５】
さらに、テレビ放送受信装置のユーザビリティの向上と技術の発展により、チャンネル番号だけでなく、テレビ放送受信装置が出力する映像や音声の種類に関するさまざまな情報をＯＳＤ表示することが可能となっている。また、上述したように、デジタル放送では、放送事業者などから配信されるＥＰＧを取得することが可能となり、放送される番組についてのさまざまな情報も合わせてＯＳＤ表示できるようになったことから、ユーザに提示される表示情報量は格段に多くなった。
【０００６】
このように、テレビ放送受信装置、特にデジタル放送を受信可能な機種の場合、従来のアナログテレビ放送の場合と比べて、番組に関する情報量が膨大であるため、必要な情報を誰でも簡単な操作で入手でき、しかも、ユーザにとって見やすい電子番組表の表示方法を提供することが望まれている。
【０００７】
例えば、特許文献１には、現在表示させているＥＰＧ情報（電子番組表）を、限られた表示域内でユーザの好みの情報量にするために、所定のズーム命令に応じて情報量を変更させて表示させる電子番組表の表示方法が開示されている。
【特許文献１】特開２０００−１１５６５２（２０００年４月２１日公開）
【発明の開示】
【発明が解決しようとする課題】
【０００８】
しかしながら、上記特許文献１の表示方法では、ＥＰＧ情報表示中にズーム操作を行うために、ユーザにとって、操作が煩雑になるという問題を生じる。
【０００９】
具体的には、特許文献１の表示方法では、ズーム操作は、ＥＰＧ情報を表示させたのちに、リモコンから行うようになっている。そのため、ＥＰＧ情報表示中に所望の倍率になるまでズーム操作を繰り返し行うことは、ユーザの操作数を増やすことにつながり、結果として操作が煩雑になる。さらに、ＥＰＧ情報を表示させる度にこのようなズーム操作を行うことは、ユーザにとってわずらわしい作業となる。
【００１０】
さらに、ＥＰＧ情報から番組を選択する動作は、通常、カーソルを移動させるためのリモコンの十字キー（矢印キー）に割り当てられる。そのため、表示中のＥＰＧ情報に対してズーム操作を行うためには、別途キーが必要になる。このように、リモコンの操作キーの種類が多くなればなるほど、ユーザに対して複雑な操作方法の学習を強いることとなる。
【００１１】
特に、身近な生活で老若男女問わず利用されるテレビ放送受信装置においては、ユーザに対して複雑な操作方法の学習を強いることのないユーザインターフェースが望まれている。
【００１２】
本発明は、上記の問題点に鑑みてなされたものであり、その目的は、ユーザにとって必要な表示量からなる電子番組表等を示す番組情報を、誰でも簡単に理解できるユーザインターフェースにより、シンプルな操作で表示することが可能な番組情報表示装置を提供することにある。
【課題を解決するための手段】
【００１３】
本発明に係る番組情報表示装置は、上記課題を解決するために、ユーザに提示すべき番組情報を表示する番組情報表示装置において、上記番組情報を表示するための番組情報表示欄を作成する番組情報表示欄作成手段と、上記番組情報表示欄に表示する番組情報表示形態を特定するための表示形態情報が複数種類記憶される表示形態情報記憶手段と、上記表示形態情報記憶手段に記憶された複数の表示形態情報から一つの表示形態情報を選択する表示形態情報選択手段と、上記表示形態情報選択手段によって選択された表示形態情報を指定する選択情報が一時的に格納される一時格納手段とを備え、上記番組情報表示欄作成手段は、上記一時格納手段に格納された選択情報によって指定された表示形態情報が特定する表示形態に基づき、番組情報表示欄を作成することを特徴としている。
【００１４】
上記の構成によれば、上記番組情報表示欄作成手段は、異なる表示形態が複数種類あっても常に一時格納手段に格納された表示形態情報が特定する表示形態に基づいて、番組情報表示欄を作成する。したがって、常に、同じ表示形態の番組情報表示欄を表示することが可能となる。
【００１５】
これにより、表示形態情報選択手段によって選択される表示形態情報が、ユーザの好みの表示形態を特定する表示形態情報であれば、番組情報表示欄は常にユーザの好みの表示形態で表示されることになる。表示形態の違いとは、例えば、文字の大きさや表示される項目種類の違いなどである。ユーザが必要な表示量でもって、情報が表示されるよう、ユーザは、上記表示形態情報選択手段を用いて、好みの表示形態を選択することができる。
【００１６】
従って、表示形態情報を一度選択しておけば、次からは番組情報表示欄を表示する指示を行うだけで、ユーザの好みの表示量の番組情報表示欄を表示することが可能となるので、従来のように、番組情報表示欄を表示した後、ユーザの好みの表示量の表示形態に切り替える操作を必要としない。つまり、操作性の向上を図ることが可能となる。
【００１７】
以上のことから、上記構成の番組情報表示装置によれば、ユーザにとって必要な表示量からなる番組情報表示欄を、誰でも簡単に理解できるユーザインターフェース（番組情報表示欄の表示指示のボタン等）により、シンプルな操作で表示させることが可能となる。上記番組情報表示欄の具体例として、複数の番組情報からなる電子番組表が挙げられる。
【００１８】
本発明の番組情報表示装置により、電子番組表を作成すれば、例えば、拡大表示された電子番組表、広角表示された電子番組表の何れかを、電子番組表の表示指示のボタン等によって、シンプルな操作で表示させることも可能となる。
【００１９】
なお、この番組情報表示装置が表示する番組情報表示欄は、電子番組表の表示欄であってもよいし、番組内容を示す情報の表示欄であってもよい。例えば、現在視聴中のチャンネル番号を示すチャンネル番号情報や、ある特定の番組のタイトルや詳細情報が付加された番組についての情報を表示する欄なども番組情報表示欄として作成することができる。これらの情報の表示量に応じて複数種類ある表示形態の中から選択された表示形態に基づいて、番組情報表示欄が作成される。
【００２０】
上記表示形態情報は、表示すべき情報量、すなわち表示量に応じて設定される情報である。つまり、表示する文字の大きさ、一度に表示する放送時間帯、一度に表示するチャンネル数、表示する番組情報の種類（例えば、タイトル、あらすじ、ジャンル）などの、ユーザが必要としている情報量に応じて設定される情報である。
【００２１】
例えば、上記表示形態情報は、表示される文字の大きさを特定する文字サイズ情報を含み、上記番組情報表示欄作成手段は、上記文字サイズ情報に基づき、番組情報表示欄を作成してもよい。
【００２２】
また、上記表示形態情報は、複数の番組情報からなる電子番組表が表示対象とする時間帯および／またはチャネル数を特定する表示量指定情報を含み、上記番組情報表示欄作成手段は、上記表示量指定情報に基づき、ら上記電子番組表を作成してもよい。
【００２３】
具体的には、ユーザが一度に多くの情報を必要としている場合、つまり情報量優先の表示を必要として場合の表示形態情報としては、表示する文字の大きさを小さくし、一度に表示する放送時間帯を広げ、一度に表示するチャンネル数を増やし、表示する番組情報の種類（表示量）を増やした電子番組表（広角表示の電子番組表（例えば図４（ｂ）））が得られるような情報としている。
【００２４】
また、ユーザの視認性を優先した表示を必要とした場合の表示形態情報としては、表示される文字の大きさを大きくし、一度に表示する放送時間帯を狭め、一度に表示するチャンネル数を減らし、表示する番組情報の種類を減らした電子番組表（拡大表示の電子番組表（例えば図４（ａ）））が得られるような情報としている。
【００２５】
上記表示形態情報選択手段は、ＧＵＩ（Graphical User Interface）画面、および／または、十字キーおよび／またはテンキーで実現されてもよい。
【００２６】
この場合、ＧＵＩ画面として表示形態情報を選択するためのメニュー画面を表示し、テレビ放送受信機に標準で搭載されているリモコンの操作子（十字キー、テンキー、決定ボタン等）で上記メニュー画面で表示された表示形態情報を選択することが可能となる。
【００２７】
つまり、ユーザは、どのような選択肢がある中で何を選択しているか、などを視覚的に理解可能な表示画面、リモコンキーの十字キー、テンキー、または決定ボタンなどのありきたりの操作子を用いて、新たに操作方法を学習しなくても、表示形態の選択を実行することができる。
【００２８】
これにより、初めて電子番組表を利用する者であっても、老若男女問わず、誰でも簡単に理解できるユーザインターフェースを提供することができる。
【００２９】
また、ＧＵＩ画面と操作子との連動ではなく、ＧＵＩ画面のみで表示形態情報選択手段を構成してもよい。この場合には、ＧＵＩ画面を表示する表示部がタッチパネルに対応する表示装置で構成されていればよい。
【００３０】
さらに、操作子は、リモコンではなくテレビ放送受信機本体の操作パネルに設けられた既存のキーとしてもよい。
【００３１】
さらに、表示形態情報に含まれる情報を設定する表示形態情報設定手段とを備え、上記表示形態情報記憶手段には、上記表示形態情報設定手段によって設定された表示形態情報が追加記憶されるようにしてもよい。
【００３２】
この場合、新たに、表示形態情報設定手段を設けることで、表示形態情報がユーザの好みに応じて設定されることになる。これにより、ユーザによって表示形態情報がより詳細に設定され、ユーザにとってより好ましい、カスタマイズされた表示形態情報が表示形態情報記憶手段に新たに記憶されることになる。
【００３３】
そして、ユーザは、表示形態情報のカスタマイズ以降は、表示形態選択手段を用いて、この新しい表示形態情報を特定する選択信号を上記一時格納手段に格納することが可能となる。
【００３４】
これにより、ユーザは、シンプルな操作で、常により好ましい表示形態で、電子番組表を表示させることが可能となる。
【００３５】
さらに、上記表示形態情報は、上記番組情報表示欄が表示されてから消去されるまでの時間を特定する表示時間情報を含んでいてもよい。
【００３６】
上記構成よれば、上記番組情報表示欄の表示形態情報は、当該番組情報表示欄が表示されてから消去されるまでの時間を、特定することが可能となる。つまり、選択された表示形態に応じて表示された番組情報表示欄は、上記選択された表示形態情報が特定する時間の間だけ表示される。
【００３７】
ここで、表示時間情報とは、上記番組情報表示欄が表示されてから消去されるまでの時間を特定するための情報である。具体的には、選択された表示形態情報が、「１０秒」を示す表示時間情報を含んでいる場合、その表示形態情報に基づいて、上記番組情報表示欄を１０秒間表示したのちに自動で消去することができる。
【００３８】
画面上に表示される情報量、あるいは情報の種類が多くなれば、それらを表示するためにある程度の領域が画面上に必要となり、その分、本来の映像を隠して表示せざるをえない場合がある。そのため、上記番組情報表示欄などの各種情報をＯＳＤ表示して、ユーザがそれを視認して内容を確認できた後には、速やかに、当該ＯＳＤ表示を消去できることが望ましい。
【００３９】
上述のような状況において、上記構成の番組情報表示装置によれば、ユーザは、自身の情報の読み取り速度に応じて表示形態を選択することが可能となる。より具体的には、番組情報をゆっくりと確実に読み取りたいユーザは、長い時間（例えば「３０秒」間）番組情報表示欄が表示されるよう表示時間情報を設定した表示形態を選択する。一方、必要最小限の番組情報を確認した後は速やかに表示を消去して、映像をできるだけ早くフル画面で表示したいユーザは、短い時間（例えば「１０秒」間）番組情報表示欄が表示されるよう表示時間情報を設定した表示形態を選択する。
【００４０】
これにより、ユーザは、シンプルな操作で、常により好ましい表示形態（表示時間）で、必要な表示量の番組情報表示欄を表示させることが可能となる。
【００４１】
さらに、本発明の番組情報表示装置は、上記表示形態情報に含まれる情報に基づき、上記番組情報表示欄が表示されてから消去されるまでの時間を算出し、上記算出した時間を特定する表示時間情報を出力する表示時間算出手段を備えていてもよい。
【００４２】
上記構成によれば、表示時間算出手段は、上記表示形態情報に含まれる情報（例えば、文字の大きさ、一度に表示する放送時間帯、一度に表示するチャンネル数、表示する番組情報の種類などの、ユーザが必要としている情報量）を用いて、上記番組情報表示欄が表示されてから消去されるまでの時間を算出する。次に、算出した時間を、上記表示時間情報として出力する。
【００４３】
出力された表示時間情報は、上述のように、上記番組情報表示欄を表示する時間の長さを特定するのに用いられる。
【００４４】
表示時間の算出方法としては、例えば、番組情報の表示量に比例して、表示時間を長くするなどが考えられる。表示量が多ければ多いほど、ユーザが情報を読み取るのに時間がかかると考えられるので、より正確に、自動で、番組情報表示欄の表示時間を特定することができる。
【００４５】
結果として、シンプルな操作で、常により好ましい表示形態（表示時間）で、必要な表示量の番組情報表示欄を表示させることが可能となる。
【００４６】
本発明に係る電子番組表作成装置は、上記課題を解決するために、取得した番組情報から、上記電子番組表において表示される情報量の違いによる表示形態を特定するための表示形態情報が複数種類記憶される表示形態情報記憶手段と、上記表示形態情報記憶手段に記憶された複数の表示形態情報から一つの表示形態情報を選択する表示形態情報選択手段と、上記表示形態情報選択手段によって選択された表示形態情報を特定する選択情報が一時的に格納される一時格納手段とを備え、上記一時格納手段に格納された選択情報によって特定された表示形態情報と、取得した番組情報とに基づいて上記電子番組表を作成することを特徴としている。
【００４７】
上記の構成によれば、表示される情報量が異なる表示形態が複数種類あっても常に一時格納手段に格納された表示形態情報に基づいて電子番組表が作成されることになるので、常に、同じ情報量の電子番組表を表示することが可能となる。
【００４８】
これにより、表示形態情報選択手段によって選択される表示形態情報が、ユーザの好みの情報量の表示形態を特定する表示形態情報であれば、テレビ放送受信機において電子番組表は常にユーザの好みの情報量で表示されることになる。
【００４９】
従って、表示形態情報を一度選択しておけば、次からは電子番組表を表示する指示を行うだけで、ユーザの好みの情報量の電子番組表を表示することが可能となるので、従来のように、電子番組表を表示した後、ユーザの好みの情報量に切り替える操作を必要としない。つまり、操作性の向上を図ることが可能となる。
【００５０】
以上のことから、上記構成の電子番組表作成装置によれば、ユーザにとって必要な情報量からなる電子番組表、例えば拡大表示された電子番組表、広角表示された電子番組表の何れかを、誰でも簡単に理解できるユーザインターフェース（電子番組表の表示指示のボタン等）により、シンプルな操作で取得することが可能となる。
【００５１】
本発明のテレビ放送受信装置は、上記課題を解決するために、上述の番組情報表示欄装置と、映像を表示する表示部と、上記番組情報表示欄作成手段が作成した番組情報表示欄を、上記映像に重ね合わせて上記表示部に表示させる画像重畳手段と、上記表示時間情報に基づき上記画像重畳手段の、上記番組情報表示欄を表示させる動作を制御する表示画像制御手段とを備えていることを特徴としている。
【００５２】
上記構成によれば、上記表示画像制御手段の制御にしたがって、上記画像重畳手段は、番組情報表示欄を、映像（例えば、自装置が受信したテレビ放送の映像）と重ね合わせて上記表示部に表示する。さらに、上記表示画像制御手段は、上記表示時間情報に基づいて、該表示時間情報が示す時間（例えば、「１０秒」間）だけ、上記画像重畳手段が動作するよう制御する。
【００５３】
これにより、上記番組情報表示欄は、上記表示時間情報が特定する時間（すなわち、「１０秒」間）だけ、上記表示部に表示される。
【００５４】
結果として、シンプルな操作で、常により好ましい表示形態（表示時間）で、必要な情報量の番組情報表示欄を表示させることが可能となる。
【００５５】
上述のように、テレビ放送受信装置において、テレビ放送の映像をさえぎるように上記番組情報表示欄が表示される場合は、適切な時間で、自動で当該番組情報表示欄が消去されるので、ユーザに快適な視聴環境を提供することが可能となる。
【００５６】
また、本発明の番組情報表示装置または電子番組表作成装置を、テレビ放送受信装置に適用すれば、テレビ放送受信装置において、ユーザにとって必要な情報量からなる番組情報表示欄を、誰でも簡単に理解できるユーザインターフェース（番組情報表示欄の表示指示のボタン等）により、シンプルな操作で取得することが可能となる。
【００５７】
本発明の番組情報表示欄作成方法は、上記課題を解決するために、ユーザに提示すべき番組情報を表示するための番組情報表示欄を作成する番組情報表示欄作成方法であって、予め記憶された、上記番組情報表示欄に表示する番組情報の表示形態を特定するための複数種類の表示形態情報から一つの表示形態情報を選択する選択ステップと、上記選択ステップにおいて選択された表示形態情報を指定する選択情報を一時的に格納する格納ステップと、上記格納ステップにおいて格納された選択情報によって指定された表示形態情報が特定する表示形態に基づき、予め取得された番組情報から、上記番組情報表示欄を作成する作成ステップとを含むことを特徴としている。
【００５８】
この場合、表示形態情報を一度選択しておけば、次からは番組情報表示欄を表示する指示を行うだけで、ユーザの好みの情報量の番組情報表示欄、例えば、電子番組表を表示することが可能となるので、従来のように、電子番組表を表示した後、ユーザの好みの情報量に切り替える操作を必要としない。つまり、操作性の向上を図ることが可能となる。
【００５９】
しかも、上記の番組情報表示欄作成方法によれば、ユーザにとって必要な情報量からなる電子番組表、例えば拡大表示された電子番組表、広角表示された電子番組表の何れかを、誰でも簡単に理解できるユーザインターフェース（電子番組表の表示指示のボタン等）により、シンプルな操作で取得することが可能となる。
【００６０】
なお、上記番組情報表示装置、電子番組表作成装置、および、テレビ放送受信装置は、コンピュータによって実現してもよく、この場合には、コンピュータを上記各手段として動作させることにより上記番組情報表示装置、電子番組表作成装置、および、テレビ放送受信装置をコンピュータにて実現させる上記番組情報表示装置、電子番組表作成装置、および、テレビ放送受信装置の番組情報表示欄作成制御プログラム、およびそれを記録したコンピュータ読み取り可能な記録媒体も、本発明の範疇に入る。
【発明の効果】
【００６１】
本発明に係る番組情報表示装置は、以上のように、上記番組情報を表示するための番組情報表示欄を作成する番組情報表示欄作成手段と、上記番組情報表示欄に表示する番組情報の表示形態を特定するための表示形態情報が複数種類記憶される表示形態情報記憶手段と、上記表示形態情報記憶手段に記憶された複数の表示形態情報から一つの表示形態情報を選択する表示形態情報選択手段と、上記表示形態情報選択手段によって選択された表示形態情報を指定する選択情報が一時的に格納される一時格納手段とを備え、上記番組情報表示欄作成手段は、上記一時格納手段に格納された選択情報によって指定された表示形態情報が特定する表示形態に基づき、番組情報表示欄を作成する構成である。
【００６２】
これにより、表示形態情報選択手段によって選択される表示形態情報が、ユーザの好みの情報量の表示形態を特定する表示形態情報であれば、番組情報表示欄は常にユーザの好みの情報量で表示されることになる。
【００６３】
従って、表示形態情報を一度選択しておけば、次からは番組情報表示欄を表示する指示を行うだけで、ユーザの好みの情報量の番組情報表示欄を表示することが可能となるので、従来のように、番組情報表示欄を表示した後、ユーザの好みの情報量に切り替える操作を必要としない。つまり、操作性の向上を図ることが可能となる。
【００６４】
以上のことから、上記構成の番組情報表示装置によれば、ユーザにとって必要な情報量からなる番組情報表示欄、例えば電子番組表において、拡大表示された電子番組表、広角表示された電子番組表の何れかを、誰でも簡単に理解できるユーザインターフェース（電子番組表の表示指示のボタン等）により、シンプルな操作で取得することが可能となるという効果を奏する。
【発明を実施するための最良の形態】
【００６５】
〔実施の形態１〕
本発明の一実施の形態について、説明すれば以下の通りである。なお、本実施の形態では、本発明の電子番組表（ＥＰＧ）作成装置をデジタルテレビ放送受信装置（以下、単にテレビ放送受信機と称する）に適用した例について説明する。
【００６６】
図２は、本実施の形態に係るテレビ放送受信機の概略構成を示すブロック図である。
【００６７】
図２に示すように、本実施の形態に係るテレビ放送受信機（テレビ放送受信装置）１は、デジタル放送用チューナ・復調部２と、ＴＳ（トランスポートストリーム）デコーダ３と、ＡＶ（オーディオビジュアル）デコーダ４と、音声出力部５と、画像重畳部（画像重畳手段）６と、映像出力部（表示部）７と、外部インターフェース８と、ＣＰＵ１０１と、メモリ１０２と、操作部（表示形態情報選択手段、表示形態情報設定手段）１０３と、グラフィックス生成部（番組情報表示欄作成手段）１０４と、を備えた構成となっている。
【００６８】
なお、図２では、上記ＣＰＵ１０１は、テレビ放送受信機１を統括制御するものである。また、ＣＰＵ１０１、メモリ１０２、操作部１０３、グラフィックス生成部１０４により電子番組表作成装置１００が構成され、上記画像重畳部６、映像出力部７により表示部２００が構成されている。そして、電子番組表作成装置１００および表示部２００が、番組情報表示装置を構成し、電子番組表作成装置１００で作成された電子番組表などの番組情報表示欄が表示部２００に表示されるようになっている。上記電子番組表作成装置１００の詳細については後述する。
【００６９】
ここではまず、デジタル放送信号の流れとともに、テレビ放送受信機１の各構成要素について説明する。
【００７０】
上記デジタル放送用チューナ・復調部２は、アンテナ（図示せず）を通じてデジタル放送の信号が供給されると、受信信号の選局を行った後、その信号形態に従った復調および誤り訂正を行い、多重化デジタルデータを形成し、この多重化デジタルデータをＴＳデコーダ３に出力する。
【００７１】
上記ＴＳデコーダ３は、デジタル放送用チューナ・復調部２より出力された多重化デジタルデータをデコードしてＴＳを抽出し、目的別のＴＳパケットに分離して後段のＡＶデコーダ４およびＣＰＵ１０１に出力する。ここで、ＴＳとは固定長のＴＳパケットが連続した信号列のことであり、各ＴＳパケットは、映像・音声信号以外に番組情報や選局に必要な情報などのデータ信号を含むことがある。ここでは、抽出したＴＳを、ＡＶデコーダ４への出力用の、映像・音声信号を含むＴＳパケットと、ＣＰＵ１０１への出力用の、放送情報関連のデータ信号を含むＴＳパケットとに分離する。
【００７２】
上記ＡＶデコーダ４は、ＴＳデコーダ３からのＴＳパケットをデコードし、音声信号および映像信号を形成し、音声信号であれば音声出力部５へ、映像信号であれば表示部２００を構成する画像重畳部６へ、それぞれ出力する。
【００７３】
一方、ＣＰＵ１０１は、ＴＳデコーダ３から受け取ったＴＳパケットをメモリ１０２に保存する。このときに、メモリ１０２には電子番組表で表示される番組についての情報が番組情報ＤＢ（データベース）１０２ａとして保存される。保存された番組情報ＤＢ１０２ａは、後段のグラフィックス生成部１０４によりＯＳＤ（On Screen Display)表示される情報として生成される。
【００７４】
上記グラフィックス生成部１０４は、上記画像重畳部６へ出力するための、ＯＳＤ情報を形成する。このＯＳＤ情報は、メモリ１０２に記憶された各種情報から、電子番組表（ＥＰＧ）、ユーザがテレビ放送受信機１を操作するためのメニュー画面（ＧＵＩ）などである。
【００７５】
上記画像重畳部６は、ＣＰＵ１０１によって制御され、上述の、ＡＶデコーダ４にてデコードされた映像信号と、上記電子番組表や、ＧＵＩ画像などのＯＳＤ情報からなる画像とを重ね合わせて、表示部２００を構成する映像出力部７に送る。この映像出力部７としては、ＬＣＤ（液晶ディスプレイ）、ＰＤＰ（プラズマディスプレイパネル）、またはＣＲＴ（cathode-ray tube）ディスプレイなどの表示装置が用いられる。
【００７６】
また、上記ＣＰＵ１０１は、その他、操作部１０３からの信号を処理し、その動作を各部へ指示をするようになっている。この操作部１０３は、テレビ放送受信機１を操作するための信号を入力する入力手段であり、テレビ放送受信機１自体に設けられた第１操作部（操作子）１０３ａと、装置外部でリモート操作するためのリモートコントローラ（リモコン）等を用いる第２操作部（操作子）１０３ｂとで構成されている。なお、上記第２操作部１０３ｂとしては、上述のリモコンの他に、他の有線の入力機器（キーボードやマウスなど）であってもよい。
【００７７】
さらに、上記ＣＰＵ１０１は、外部インターフェース８を介して、外部との通信の処理を行ったりする。例えば、番組情報ＤＢ１０２ａに保存される番組関連情報は、外部記憶装置やインターネットなどを通じて、取得することも可能である。
【００７８】
続いて、図１を用いて、電子番組表作成装置１００についてより詳細に説明を行う。
【００７９】
上記電子番組表作成装置１００は、図１に示すように、ＣＰＵ１０１と、メモリ１０２と、第２操作部１０３ｂと、グラフィックス生成部１０４とを備え、生成した電子番組表を表示部２００に表示させるようになっている。
【００８０】
上記ＣＰＵ１０１は、テレビ放送受信機１を統括制御する手段であり、電子番組表を作成して表示するための各種制御を行うＥＰＧ制御部１０１ａを含んでいる。
【００８１】
上記メモリ１０２は、上述のように、番組情報ＤＢ１０２ａの他に、さらに、複数種類の文字サイズ設定の情報を記憶するための、文字サイズ設定情報テーブル（表示形態情報記憶手段）１０５と、どの文字サイズ設定が選択されたかを示す情報が一時的に格納される、文字サイズ設定保持部（一時格納手段）１０６と、を含んでいる。上記の文字サイズ設定の情報の詳細については後述する。
【００８２】
上記第２操作部１０３ｂとしては、上述のように、テレビ放送受信機１の外部から操作するためのリモコン送受信手段を想定する。
【００８３】
すなわち、上記第２操作部１０３ｂは、送信側（リモコン側）において、少なくともカーソルを動かすための十字キー、指示を確定させるための決定キー、電子番組表をワンプッシュで表示させるための番組表示キーを有し、受信側（受光部側）において、リモコン側の各キー操作による信号（例えば赤外線による信号）を受光する受光手段（図示せず）を有している。
【００８４】
受光手段によって受光された信号は、ＣＰＵ１０１のＥＰＧ制御部１０１ａに送られる。例えば、第２操作部１０３ｂにおいて、上記のような操作子（各キー）は、表示部２００に表示されるＧＵＩ画像に連動している。これにより、ユーザは、第２操作部１０３ｂおよびＧＵＩ画像を用いてテレビ放送受信機１のあらゆる操作を簡単に行うことが可能となっている。このＧＵＩ画像として代表的な画像は、電子番組表である。そして、このＧＵＩ画像は、上記グラフィックス生成部１０４において生成される。
【００８５】
グラフィックス生成部１０４は、メモリ１０２に記憶された電子番組表に関する情報（文字サイズ設定情報テーブル１０５、文字サイズ設定保持部１０６、番組情報ＤＢ１０２ａに格納された情報）に基づいて、上記表示部２００に表示される、各種操作用のＧＵＩ画像を生成するようになっている。なお、グラフィックス生成部１０４は、番組情報表示欄（例えば、電子番組表）を生成する際に、番組情報ＤＢ１０２ａに保存された情報ではなく、上述のように、外部インターフェース８を介して、取得した番組情報を直接用いることもできる。
【００８６】
なお、本実施の形態では、ＧＵＩ画像として、例えば図４（ａ）（ｂ）に示すような、設定された文字サイズの異なる電子番組表、図５に示すような、図４（ａ）（ｂ）に示す電子番組表の表示を選択するための操作画面を使用する。
【００８７】
ここで、上記文字サイズ設定情報テーブル１０５に記憶される文字サイズ設定情報について、図３を参照しながら以下に説明する。
【００８８】
上記文字サイズ設定情報とは、表示する文字の大きさ、一度に表示する放送時間帯、一度に表示するチャンネル数、などのＥＰＧにおいて表示の形態を示す表示形態情報である。この文字サイズ設定情報には、他に、ＥＰＧにおいて、ユーザが必要としている情報量を決定したり、ユーザの視認性を確保したりするのに考慮されるべき情報であれば、他の情報（例えば、表示する番組情報の種類（例えば、タイトル、あらすじ、ジャンル）が含まれていてもよい。本実施の形態では、文字サイズ設定情報を、表示文字サイズ、表示時間帯、表示チャネル数とし、上記文字サイズ設定情報テーブル１０５のテーブル構造の一例を図３に示す。
【００８９】
上記文字サイズ設定情報テーブル１０５は、図３に示すように、符号３１から３４までの４つの属性からなっており、本実施の形態においては２つのレコード３０ａ、３０ｂが各属性に対付けて記憶されている。ここでは、レコード３０ａを、「見易さを優先した表示」のための設定（文字サイズ大）情報とし、レコード３０ｂを、「情報量を優先した表示」のための設定（文字サイズ小）情報としている。
【００９０】
なお、上記文字サイズ設定情報テーブル１０５では、２つのレコード３０ａ、３０ｂ、すなわち文字サイズ大情報と文字サイズ小情報の２つの場合を例示したが、これに限定されるものではなく、例えば、３つめのレコード（例えば文字サイズ中情報）、あるいはそれ以上の数のレコードを有していてもよい。
【００９１】
以下、上記文字サイズ設定情報テーブル１０５の各属性について説明する。
【００９２】
属性３１には、複数存在する文字サイズ設定を一意に特定するためのコード、つまり文字サイズ設定ＩＤが格納されている。この文字サイズ設定ＩＤは、上記文字サイズ設定保持部１０６に格納される実際の値である。なお、このＩＤの項目は必須ではなく、もし、設けない場合は、文字サイズ設定保持部１０６に、番組表を表示するために必要な設定情報をすべて格納する必要がある。
【００９３】
属性３２には、表示文字サイズが格納されている。ここでは、ユーザが文字サイズ大の設定を選択すると、番組表の文字サイズは１２ポイントに、文字サイズ小の設定を選択すると、９ポイントになるよう、情報が格納されている。
【００９４】
属性３３には、番組表に表示する時間帯が格納されている。ここでは、ユーザが文字サイズ大の設定を選択すると、番組表には、３時間分の番組情報が、文字サイズ小の設定を選択すると、６時間分の番組情報が表示されるよう、情報が格納されている。
【００９５】
属性３４には、番組表に表示するサービス数が格納されている。ここでは、ユーザが文字サイズ大の設定を選択すると、番組表には、９サービス分の番組情報が、文字サイズ小の設定を選択すると、１５サービス分の番組情報が表示されるよう、情報が格納されている。
【００９６】
なお、図３において、レコード３０ａ（文字サイズ大の設定）による電子番組表は、図４（ａ）に示すような表示形態（拡大表示）となり、レコード３０ｂ（文字サイズ小の設定）による電子番組表は、図４（ｂ）に示すような表示形態（広角表示）となる。
【００９７】
すなわち、図４（ａ）は、図３に示すレコード３０ａに基づいて、時間欄４３ａが３時間（３ｈ）と、サービス欄４４ａが９サービス（９ｃｈ）とで拡大表示された電子番組表４１ａを示す。
【００９８】
また、図４（ｂ）は、図３に示すレコード３０ｂに基づいて、時間欄４３ｂが６時間（６ｈ）と、サービス欄４４ｂが１５サービス（１５ｃｈ）とで広角表示された電子番組表４１ｂを示す。
【００９９】
本実施の形態では、作成基準として、時間を現在時間、チャンネルを現在選局中のチャンネルとして電子番組表が作成される。
【０１００】
本実施の形態において、電子番組表は、メモリ１０２の文字サイズ設定保持部１０６に一時的に格納されたレコード３０ａ、３０ｂの何れかを特定するための信号に基づいて、グラフィックス生成部１０４にて作成されるものである。なお、初期設定では、文字サイズ小、すなわちレコード３０ｂを特定する信号が文字サイズ設定保持部１０６に格納されている。
【０１０１】
図５は、ユーザが電子番組表における文字サイズを設定するメニュー画面（ＧＵＩ画面）４０を示す。
【０１０２】
すなわち、メニュー画面４０においては、文字サイズ大の設定を選択するための「大」ボタン４０ａと、文字サイズ小の設定を選択するための「小」ボタン４０ｂとが表示されている。これら２つのボタンは、第２操作部１０３ｂのカーソル操作により選択され、決定ボタンにより決定される。
【０１０３】
ここで、「大」ボタン４０ａが選択され、決定されれば、文字サイズ設定情報として、図３に示すレコード３０ａを指定する信号が文字サイズ設定保持部１０６に一時的に格納される。一方、「小」ボタン４０ｂが選択され、決定されれば、文字サイズ設定情報として、図３に示すレコード３０ｂを指定する信号が文字サイズ設定保持部１０６に一時的に格納される。
【０１０４】
上記のメニュー画面４０は、テレビ放送受信機１における操作一般のメニューを呼び出し、そのメニューからデジタル設定、番組表取得設定、文字サイズ設定を順に選択することで呼び出す。なお、この呼び出し順には限定されるものではなく、第２操作部１０３ｂ等のリモコンに、文字サイズ設定キーを設ければ、一度の操作でメニュー画面４０を呼び出すことも可能である。
【０１０５】
上記構成の電子番組表作成装置による電子番組表作成の処理の流れについて、図６及び図７に示すフローチャートを参照しながら以下に説明する。
【０１０６】
電子番組表作成には、大きく分けて２つの処理がある。一つは、電子番組表を表示する際の表示形態（文字サイズ）を選択する処理であり、もう一つは、実際にユーザが所望する表示形態で電子番組表を作成して表示する処理である。
【０１０７】
始めに、一つの電子番組表の表示形態を選択する処理の流れについて図６に示すフローチャートを参照しながら以下に説明する。
【０１０８】
まず、ユーザにより第２操作部１０３ｂが操作され、表示部２００に表示形態の選択メニューが表示される（ステップＳ３）。ここで、表示部２００には、図５に示すようなメニュー画面が表示される。
【０１０９】
次に、ＥＰＧ制御部１０１ａは、第２操作部１０３ｂからの選択信号を受信したか否かを判断する（ステップＳ２）。ここで、選択信号は、第２操作部１０３ｂからの、図３のレコード３０ａ、３０ｂの何れかを示す信号である。
【０１１０】
そして、ＥＰＧ制御部１０１ａは、受け取った選択信号から文字サイズ設定情報を示す文字設定情報を生成し（ステップＳ３）、メモリ１０２の文字サイズ設定保持部１０６に生成した文字設定情報を保持させる（ステップＳ４）。
【０１１１】
以上の処理により、文字サイズ設定保持部１０６に、文字サイズ設定情報テーブル１０５に格納されているレコード３０ａ、３０ｂの何れかを指定するための時設定情報が一時的に保持されることになる。
【０１１２】
続いて、ユーザが表示部２００において電子番組表を表示させる際の処理の流れについて図７に示すフローチャートを参照しながら以下に説明する。
【０１１３】
まず、ＥＰＧ表示指示の信号を受信したか否かを判断する（ステップＳ１１）。
【０１１４】
ここで、ＥＰＧ制御部１０１ａは、第２操作部１０３ｂからのＥＰＧ表示指示の信号を受信したか否かを判断する。
【０１１５】
そして、ＥＰＧ表示指示信号を受信したら、ＥＰＧ生成処理を実行する（ステップＳ１２）。ここでは、ＥＰＧ制御部１０１ａがグラフィックス生成部１０４に対して、ＥＰＧ生成の指示信号を送り、これを受けたグラフィックス生成部１０４が、メモリ１０２の文字サイズ設定保持部１０６に保持されたレコードに対応した文字サイズ設定情報を文字サイズ設定情報テーブル１０５を読み出すと共に、番組情報ＤＢ１０２ａから該レコードに対応した番組情報を読出し、ＥＰＧを生成する。
【０１１６】
そして、生成したＥＰＧの表示処理を実行する（ステップＳ１３）。ここでは、グラフィックス生成部１０４において生成されたＥＰＧを表示部２００の画像重畳部６に送り、テレビ画像と重畳して表示させる。この場合に表示されるＥＰＧは、ユーザが事前に設定した文字サイズ、すなわち拡大あるいは広角表示されたＥＰＧであるので、ユーザは、意識せずに自分の好みに合った文字サイズのＥＰＧを見ることが可能となる。
【０１１７】
本実施の形態では、電子番組表を表示する際に、２つの表示形態（文字サイズ大と文字サイズ小）を用いて選択できるようにしているが、これに限定されるものではなく、ユーザが任意に文字サイズを設定するようにしてもよい。この場合、既存のリモコンと、メニュー画面の変更とにより実現するようにすればよい。具体的には、表示部２００の表示画面（図示せず）と、第２操作部１０３ｂとを表示形態情報に含まれる情報を設定する表示形態情報設定手段として機能させ、文字サイズ設定情報テーブル１０５にユーザがカスタマイズした表示形態情報に記憶させるようにすればよい。
【０１１８】
以上のように、上記構成の電子番組表作成装置によれば、ユーザにとって必要な情報量からなる電子番組表、例えば拡大表示された電子番組表、広角表示された電子番組表の何れかを、誰でも簡単に理解できるユーザインターフェース（電子番組表の表示指示のボタン等）により、シンプルな操作で取得することが可能となるという効果を奏する。
【０１１９】
本発明に係る電子番組表作成装置は、上記課題を解決するために、テレビ放送受信機において電子番組表を表示する電子番組表作成装置であって、上記電子番組表を作成するのに必要な番組情報が記憶される番組情報記憶手段と、上記電子番組表において表示される情報量の違いによる表示形態を特定するための表示形態情報が複数種類記憶される表示形態情報記憶手段と、上記表示形態情報記憶手段に記憶された複数の表示形態情報から一つの表示形態情報を選択する表示形態情報選択手段と、上記表示形態情報選択手段によって選択された表示形態情報を特定する選択情報が一時的に格納される一時格納手段とを備え、上記一時格納手段に格納された選択情報によって特定された表示形態情報と、上記番組情報記憶手段に記憶された番組情報とに基づいて上記電子番組表を作成することを特徴としている。
【０１２０】
上記の構成によれば、表示される情報量が異なる表示形態が複数種類あっても常に一時格納手段に格納された表示形態情報に基づいて電子番組表が作成されることになるので、常に、同じ情報量の電子番組表を表示することが可能となる。
【０１２１】
これにより、表示形態情報選択手段によって選択される表示形態情報が、ユーザの好みの情報量の表示形態を特定する表示形態情報であれば、テレビ放送受信機において電子番組表は常にユーザの好みの情報量で表示されることになる。
【０１２２】
従って、表示形態情報を一度選択しておけば、次からは電子番組表を表示する指示を行うだけで、ユーザの好みの情報量の電子番組表を表示することが可能となるので、従来のように、電子番組表を表示した後、ユーザの好みの情報量に切り替える操作を必要としない。つまり、操作性の向上を図ることが可能となる。
【０１２３】
以上のことから、上記構成の電子番組表作成装置によれば、ユーザにとって必要な情報量からなる電子番組表、例えば拡大表示された電子番組表、広角表示された電子番組表の何れかを、誰でも簡単に理解できるユーザインターフェース（電子番組表の表示指示のボタン等）により、シンプルな操作で取得することが可能となる。
【０１２４】
上記表示形態情報は、表示すべき情報量に応じて設定される情報である。例えば、表示する文字の大きさ、一度に表示する放送時間帯、一度に表示するチャンネル数、表示する番組情報の種類（例えば、タイトル、あらすじ、ジャンル）などの、ユーザが必要としている情報量に応じて設定される情報である。
【０１２５】
具体的には、ユーザが一度に多くの情報を必要としている場合、つまり情報量優先の表示を必要として場合の表示形態情報としては、表示する文字の大きさを小さくし、一度に表示する放送時間帯を広げ、一度に表示するチャンネル数を増やし、表示する番組情報の種類を増やした電子番組表（広角表示の電子番組表（例えば図４（ｂ）））が得られるような情報としている。
【０１２６】
また、ユーザの視認性を優先した表示を必要とした場合の表示形態情報としては、表示される文字の大きさを大きくし、一度に表示する放送時間帯を狭め、一度に表示するチャンネル数を減らし、表示する番組情報の種類を減らした電子番組表（拡大表示の電子番組表（例えば図４（ａ）））が得られるような情報としている。
【０１２７】
上記表示形態情報選択手段は、ＧＵＩ（Graphical User Interface）画面および／または慣用された操作子で実現されてもよい。
【０１２８】
この場合、ＧＵＩ画面として表示形態情報を選択するためのメニュー画面を表示し、テレビ放送受信機に標準で搭載されているリモコンの操作子（十字キー、決定ボタン等）で上記メニュー画面で表示された表示形態情報を選択することが可能となる。
【０１２９】
つまり、ユーザは、どのような選択肢がある中で何を選択しているか、などを視覚的に理解可能な表示画面、リモコンキーの十字キーや決定ボタンなどのありきたりの操作子を用いて、新たに操作方法を学習しなくても、表示形態の選択を実行することができる。
【０１３０】
これにより、初めて電子番組表を利用する者であっても、老若男女問わず、誰でも簡単に理解できるユーザインターフェースを提供することができる。
【０１３１】
また、ＧＵＩ画面と操作子との連動ではなく、ＧＵＩ画面のみで表示形態情報選択手段を構成してもよい。この場合には、ＧＵＩ画面を表示する表示部がタッチパネルに対応する表示装置で構成されていればよい。
【０１３２】
さらに、操作子は、リモコンではなくテレビ放送受信機本体の操作パネルに既存のキーとしてもよい。
【０１３３】
さらに、表示形態情報に含まれる情報を設定する表示形態情報設定手段とを備え、上記表示形態情報記憶手段には、上記表示形態情報設定手段によって設定された表示形態情報が追加記憶されるようにしてもよい。
【０１３４】
この場合、新たに、表示形態情報設定手段を設けることで、表示形態情報がユーザの好みに応じて設定されることになる。これにより、ユーザによって表示形態情報がより詳細に設定され、ユーザにとってより好ましい、カスタマイズされた表示形態情報が表示形態情報記憶手段に新たに記憶されることになる。
【０１３５】
そして、ユーザは、表示形態情報のカスタマイズ以降は、表示形態選択手段を用いて、この新しい表示形態情報を特定する選択信号を上記一時格納手段に格納することが可能となる。
【０１３６】
これにより、ユーザは、シンプルな操作で、常により好ましい表示形態で、電子番組表を表示することが可能となる。
【０１３７】
本発明の電子番組表作成方法は、テレビ放送受信機において電子番組表を表示する電子番組表作成方法であって、予め記憶された、上記電子番組表において表示される情報量の違いによる表示形態を特定するための複数種類の表示形態情報から一つの表示形態情報を選択するステップと、上記ステップにおいて選択された表示形態情報を特定する選択情報を一時的に格納するステップと、上記ステップにおいて格納された選択情報によって特定された表示形態情報と、予め取得された番組情報とに基づいて上記電子番組表を作成するステップとを含むことを特徴としている。
【０１３８】
この場合、表示形態情報を一度選択しておけば、次からは電子番組表を表示する指示を行うだけで、ユーザの好みの情報量の電子番組表を表示することが可能となるので、従来のように、電子番組表を表示した後、ユーザの好みの情報量に切り替える操作を必要としない。つまり、操作性の向上を図ることが可能となる。
【０１３９】
しかも、上記の電子番組表作成方法によれば、ユーザにとって必要な情報量からなる電子番組表、例えば拡大表示された電子番組表、広角表示された電子番組表の何れかを、誰でも簡単に理解できるユーザインターフェース（電子番組表の表示指示のボタン等）により、シンプルな操作で取得することが可能となる。
【０１４０】
上記の電子番組表作成方法をコンピュータによって実現してもよい。
【０１４１】
すなわち、本発明の電子番組表作成制御プログラムは、テレビ放送受信機において電子番組表を表示する電子番組表作成制御プログムであって、コンピュータに、予め記憶された、上記電子番組表において表示される情報量の違いによる表示形態を特定するための複数種類の表示形態情報から一つの表示形態情報を選択する手順と、上記手順において選択された表示形態情報を特定する選択情報を一時的に格納する手順と、上記手順において格納された選択情報によって特定された表示形態情報と、予め取得された番組情報とに基づいて上記電子番組表を作成する手順とを実行させる。
【０１４２】
この場合、汎用のコンピュータにより簡単に、テレビ放送受信機の電子番組表の作成制御を行うことが可能となる。
【０１４３】
そして、上記のような電子番組表作成制御プログラムは、コンピュータ読取可能な記録媒体に記録するようにすれば、テレビ放送受信機においてコンピュータを備えているだけで、簡単に、操作性のよいユーザビリティの高い電子番組表作成装置を実現することが可能となる。
【０１４４】
〔実施の形態２〕
上述の実施の形態１では、電子番組表の表示形態として、文字の大きさ、および／または表示対象となる時間帯やチャネル数を指定することにより、ユーザによって必要な表示量を決定し、表示した。
【０１４５】
しかし、本発明は上述の電子番組表の例に限定されず、画面上に表示するチャンネル番号情報、各種の警告画面、臨時放送や緊急放送へ誘導する案内画面など、あらゆるＯＳＤ表示画面に表示される表示形態の調整にも適応できる。例えば、ある特定の番組情報（例えば視聴中の番組や、その次に放送される番組の番組情報など）を画面の隅に小さく表示させることも可能である。このような番組情報を表示するための番組情報表示欄等の各種情報表示欄がＯＳＤ表示されているときのテレビ放送受信機１の画面表示例を図８に示す。
【０１４６】
図８は、映像出力部７（図２）に出力された映像データを、テレビ放送受信機１の表示画面に表示したときの例を示す。図８に示すとおり、画面５０左上端には、番組情報表示欄５１、右上端には、チャンネル番号情報表示欄５２、下端には、出力音量情報表示欄５３がＯＳＤ表示されている。このような小さな各種情報表示欄は、電子番組表のように、放送中の映像全体を隠す大きさの番組情報表示欄ではなく、放送中の映像全体を隠さないように、必要な情報のみを放送中の映像に重畳させて表示するときに用いられる。
【０１４７】
しかし、このような場合でも、画面上にＯＳＤ表示される各情報表示欄に表示すべき情報の表示量、あるいは情報の種類が多くなれば、それらを表示するためにある程度の領域が必要となり、その分、情報表示欄が大きくなり、放送中の映像を隠して表示せざるをえない。そのため、上記番組情報表示欄などの各種情報表示欄をＯＳＤ表示して、ユーザがそれを視認して内容を確認できた後には、速やかに、当該ＯＳＤ表示を消去できることが望ましい。
【０１４８】
しかしながら、表示された情報量を読み取る能力は人それぞれであるため、従来のように、一定時間表示した後に消去する仕組みでは、ユーザによっては、番組情報を最後まで読み終わっても表示されたままで、いつまでもテレビ画面が隠されると感じる人もいれば、情報が画面上から消去されるまでの間に、最後まで読み取れない人もいるという不都合が生じる。
【０１４９】
上記不都合を解消するための、本発明の一実施の形態について、以下に説明する。本実施の形態においては、番組情報表示欄５１に表示される番組情報の表示形態について、番組情報表示欄５１の表示時間を、実施の形態１の文字サイズと対応付けて管理し、上記番組情報表示欄５１をＯＳＤ表示させる時間を決定する。
【０１５０】
図９は、本発明の実施の形態に係る番組情報表示装置を適用した、テレビ放送受信機の要部構成を示すブロック図である。図９に示すテレビ放送受信機１は、番組情報表示欄作成装置３００を備えている。番組情報表示欄作成装置３００は、電子番組表などの番組情報表示欄を表示させるための番組情報画像を作成して、テレビ放送受信機１の表示部２００に供給する。なお、この番組情報表示欄作成装置３００と表示部２００とで、番組情報表示装置を構成している。
【０１５１】
なお、図９に示すテレビ放送受信機１の各構成要素に付された符号は、図１および図２に示す、テレビ放送受信機１および電子番組表作成装置１００の各構成要素に付された符号と対応しており、同じ符号は、同じ構成要素であることを示している。したがってここでは説明を繰り返さない。
【０１５２】
図９において、図１と異なる点は、番組情報表示欄作成装置３００のＣＰＵ１０１が、さらに、画像重畳部６を制御するためのＯＳＤ制御部１０１ｂ（表示画像制御手段）を備えている点、および、メモリ１０２が文字サイズを記憶するのに加えて、上記番組情報表示欄を表示させる表示時間を記憶する点である。
【０１５３】
ＯＳＤ制御部１０１ｂは、画像重畳部６に対して、番組情報表示欄などのＯＳＤ表示、あるいは消去などの制御を行うためのものである。ＯＳＤ制御部１０１ｂは、文字サイズ設定保持部１０６および表示形態設定情報テーブル（表示形態情報記憶手段）３０５を参照し、その内容に基づき、画像重畳部６へ生成画像の重畳の指示を行う。すなわち、画像重畳部６は、ＯＳＤ制御部１０１ｂの制御にしたがって、グラフィックス生成部１０４で生成された番組情報画像を、映像データと重畳させるか否かを決定する。
【０１５４】
メモリ１０２は、図１の文字サイズ設定情報テーブル１０５の代わりに、表示形態設定情報テーブル３０５を含んでいる。本実施の形態では、表示形態設定情報テーブル３０５には、複数種類の文字サイズ設定の情報とともに、上記番組情報画像を表示させる時間を指定する表示時間情報が記憶されている。上記表示時間情報は、文字サイズ設定の情報と対応付けて記憶されている。ここで、表示時間情報とは、上記番組情報表示欄が表示されてから消去されるまでの時間を特定するための情報であり、例えば、「１０秒」などで表される。表示時間情報が「１０秒」であれば、上記番組情報表示欄が表示されてから１０秒経過すると、消去されるような表示方法で、上記番組情報表示欄が表示される。
【０１５５】
図１０は、表示形態設定情報テーブル３０５のテーブル構造の一例を示す図である。実施の形態１の図３と異なる点は、図８の番組情報表示欄５１を表示させる時間を指定する画像表示時間情報を格納するための属性３５を有している点である。
【０１５６】
図１０に示すとおり、上記画像表示時間情報は、実施の形態１の文字サイズ設定の情報と対応付けられており、本実施の形態では、表示文字サイズ「１２ｐｔ」には（すなわち、図５のメニュー画面４０において、ボタン４０ａが選択されたとき）は、画像表示時間「２０秒」が、表示文字サイズ「９ｐｔ」（ボタン４０ｂが選択されたとき）は、画像表示時間「１０秒」が割り当てられている。
【０１５７】
これにより、ＯＳＤ制御部１０１ｂは、表示形態設定情報テーブル３０５を参照して、画像表示時間を取得することにより、「作成されたＯＳＤ画像を何秒間表示させる」という指示を画像重畳部６に送ることが可能となる。
【０１５８】
次に、図９に示す番組情報表示装置が、番組情報表示欄５１（図８）を表示させるときの処理の流れについて、図１１に示すフローチャートを参照しながら以下に説明する。
【０１５９】
なお、ここでは、ユーザによって、あらかじめメニュー画面４０（図５）から、「見易さを優先した表示」のための設定（文字サイズ大）または「情報量を優先した表示」のための設定（文字サイズ小）のいずれかが選択され、文字サイズ設定保持部１０６には、上記の設定を特定するための文字サイズ設定ＩＤ「０１」「０２」（図１０）のいずれかの値が保持されているものとする。
【０１６０】
まず、ユーザが第２操作部１０３ｂを操作することにより、現在放送中の番組についての番組情報表示欄の表示を指示する指示信号が入力されると（Ｓ２１のＹｅｓ）、図８の番組情報表示欄５１を表示するために、ＥＰＧ制御部１０１ａは、番組情報ＤＢ１０２ａから現在の番組に関する番組情報を取得する（Ｓ２２）。グラフィックス生成部１０４は、上記取得された番組情報を用いて、番組情報画像を生成する（Ｓ２３）。
【０１６１】
一方、ＯＳＤ制御部１０１ｂは、上記指示信号が入力されると、文字サイズ設定保持部１０６を参照し、保持されている文字サイズ設定ＩＤに基づき、文字サイズの設定を判定する（Ｓ２４）。ここで、文字サイズ設定ＩＤ「０１」が保持されていると判定した場合は、表示形態設定情報テーブル３０５（図１０）から、文字サイズ設定ＩＤ「０１」に対応付けられている、画像表示時間「２０秒」を取得する（Ｓ２５）。反対に、文字サイズ設定ＩＤ「０２」が保持されている判定した場合は、文字サイズ設定ＩＤ「０２」に対応付けられている、画像表示時間「１０秒」を取得する（Ｓ２６）。
【０１６２】
次に、ＯＳＤ制御部１０１ｂは、グラフィックス生成部１０４が生成した、上記番組情報画像を表示させるよう、画像重畳部６を制御する。より具体的には、画像重畳部６は、ＯＳＤ制御部１０１ｂにしたがって、ＡＶデコーダ４（図２）から供給された映像データと、上記番組情報画像とを重畳して、映像出力部７へと出力する。これにより、図８に示すように、番組情報表示欄５１を表示する（Ｓ２７）。
【０１６３】
続いて、ＯＳＤ制御部１０１ｂは、Ｓ２７にて番組情報表示欄５１が表示されてからの経過時間を計測し、Ｓ２５（または、Ｓ２６）にて取得した画像表示時間「２０秒（１０秒）」になるまで、番組情報表示欄５１が表示されるよう画像重畳部６の制御を続ける（Ｓ２８のＮｏ）。
【０１６４】
ここで、上記経過時間が、上記画像表示時間に達したと判定した場合は（Ｓ２８のＹｅｓ）、ＯＳＤ制御部１０１ｂは、画像重畳部６を制御し、上記番組情報画像を映像データに重畳することを停止するよう指示する。これにより、画像重畳部６は、これまで表示していた番組情報表示欄５１を画面５０に表示することを停止する（Ｓ２９）。
【０１６５】
上記構成によれば、ユーザがあらかじめ設定している文字サイズ設定情報に基づいて、番組情報表示欄の画像表示時間が変更される。具体的には、文字サイズ大の設定が選択されている場合は、２０秒間、文字サイズ小の設定の場合は、１０秒間、番組情報表示欄が表示される。
【０１６６】
これにより、情報量を多く表示することを選択したユーザは、短い時間で多くの情報を読み取れると考えて、ＯＳＤ表示による番組情報表示欄の画像表示時間を短くし、映像が隠れる時間を短縮して、できるだけテレビ放送などの視聴を邪魔しないようにすることができる。一方、文字を大きく表示することを選択したユーザは、情報を読み取るのに時間がかかると考えて、ＯＳＤ表示による番組情報表示欄の画像表示時間を長くし、番組情報表示欄に示された内容を最後まで読み取れるようにすることができる。
【０１６７】
以上のように、ユーザが電子番組表の表示形態（表示文字サイズ）をあらかじめ選択しておくだけで、電子番組表以外のＯＳＤ画像の表示形態（表示時間）も、ユーザの認識能力に合わせて調整することが可能となる。
【０１６８】
これにより、ユーザは、誰でも簡単に理解できるユーザインターフェースを用いることによって、ユーザにとって必要な情報が必要かつ十分に提示されるよう、上記電子番組表作成装置を簡便に操作することが可能となる。
【０１６９】
なお、本実施の形態では、画像表示時間を、２つの表示形態（文字サイズ大と文字サイズ小と）に対応付けることにより、選択できるようにしているが、本発明は、これに限定されるものではない。ユーザが任意に文字サイズを設定できるようになっており、上記任意に設定された文字サイズに基づいて、画像表示時間が算出されるようにしてもよい。
【０１７０】
例えば、文字サイズに比例して画像表示時間も長く算出されるような関数を用いれば、文字サイズと連動して、画像表示時間を変更することができる。
【０１７１】
さらに、文字サイズ設定の情報に限定されず、表示形態設定情報テーブル３０５に格納されている他の属性の情報（例えば、表示時間帯、表示サービス数）をパラメータとして、画像表示時間を算出してもよい。
【０１７２】
〔実施の形態３〕
上述の実施の形態２では、文字サイズ設定の情報に対応付けて、あらかじめ画像表示時間を記憶しておくことにより、文字サイズに応じてＯＳＤ画像の表示時間を変更した。
【０１７３】
しかし、ユーザ個々の、情報の読み取りの早さ、文字の大きさに関わらず、表示される情報量、情報の種類が多くなればなるほど、情報を読み取るのに時間がかかり、情報が画面上に表示されてから消去されるまでの間に、最後まで読み取れない場合が生じる。一方、少ない情報量であれば、ユーザはすぐに確認し終わって、表示が消えるのが遅いと感じることもある。表示される情報量が変化するのに対して、表示される時間が均一であれば、上述のような不都合が生じる。
【０１７４】
上記の不都合を解消するための、本発明の一実施の形態について、以下に説明する。本実施の形態においては、番組情報表示装置は、表示形態設定情報テーブルに格納された情報に基づいて、画像表示時間を算出することが可能であり、番組情報表示欄５１（図８）の画像表示時間を算出するのに、番組情報表示欄５１に表示させる番組情報の項目数をパラメータとして用いる。
【０１７５】
図１２は、本発明の実施の形態に係る電子番組表作成装置を適用した、テレビ放送受信機の要部構成を示すブロック図である。図１２に示すテレビ放送受信機１は、番組情報表示欄作成装置４００と表示部２００とを備えている。番組情報表示欄作成装置４００は、電子番組表などの番組情報表示欄を表示させるための番組情報画像を作成して、テレビ放送受信機１の表示部２００に供給する。なお、この番組情報表示欄作成装置４００と表示部２００とで、番組情報表示装置を構成している。
【０１７６】
なお、図１２に示すテレビ放送受信機１の各構成要素に付された符号は、図１、図２および図９に示す、テレビ放送受信機１および電子番組表作成装置１００（２００）の各構成要素に付された符号と対応しており、同じ符号は、同じ構成要素であることを示している。したがってここでは説明を繰り返さない。図９と異なる点について、以下に説明する。
【０１７７】
図１２において、図９と異なる点は、番組情報表示欄作成装置４００のＣＰＵ１０１が、さらに、番組情報画像をＯＳＤ表示させる時間を算出するための表示時間算出部（表示時間算出手段）１０１ｃを備えている点、および、メモリ１０２が、上記番組情報表示欄に含める情報の項目数を記憶する点である。
【０１７８】
メモリ１０２は、図９の表示形態設定情報テーブル３０５の代わりに、上記番組情報表示欄に含める情報の項目数を記憶するための表示量設定情報テーブル（表示形態情報記憶手段）４０５を、また、文字サイズ設定保持部１０６の代わりに、表示量設定情報を特定するための表示量設定保持部（一時格納手段）４０６を含んでいる。表示量設定情報の詳細および、その設定における表示例については後述する。
【０１７９】
表示時間算出部１０１ｃは、表示量設定保持部４０６の値を参照し、それに対応付けられている表示量（より具体的には、図１３の「表示項目数」（属性６２））を、表示量設定情報テーブル４０５から取得して、それに基づき番組情報表示欄の表示時間を算出する。
【０１８０】
表示時間算出部１０１ｃが算出した画像表示時間は、ＯＳＤ制御部１０１ｂに供給され、ＯＳＤ制御部１０１ｂが画像重畳部６を制御するときに用いる。
【０１８１】
なお、本実施の形態では、ＥＰＧ制御部１０１ａは、表示量設定保持部４０６に保持されている値に基づき、いずれの表示量（簡易／詳細情報表示）が選択されているのかを判定し、どの項目を含めて番組情報表示欄５１の番組情報画像を作成すればよいのかを、グラフィックス生成部１０４に指示する。
【０１８２】
上記構成によれば、番組情報表示欄に表示される番組情報の表示量（簡易／詳細情報表示）に応じて、設定された表示量（情報量）を含む番組情報表示欄が表示される。さらに、その番組情報表示欄が表示される時間は、上記設定された表示量に応じて決定されるので、表示される情報量の変化に対応して、適切な時間でＯＳＤ画像が表示・消去される。
【０１８３】
図１３は、表示量設定情報テーブル４０５のテーブル構造の一例を示す図である。図１３に示すとおり、表示量設定情報テーブル４０５は、１レコードに、表示量設定情報を一意に識別するための「表示量設定ＩＤ」（属性６１）と、番組情報表示欄として表示する番組情報の項目の数を示す「表示項目数」（属性６２）とを格納するテーブル構造を有している。
【０１８４】
なお、本実施の形態では、さらに、表示量設定情報テーブル４０５には、「表示項目」（属性６３）が格納されており、ＥＰＧ制御部１０１ａが、番組情報表示欄に表示する項目を特定するときに用いられる。
【０１８５】
レコード６０ａは、「見易さを優先した表示」（簡易情報表示）の場合の表示量設定情報を示している。より具体的には、上記簡易情報表示の設定が選択された場合には、図８に示すように、番組情報項目「放送局名」「タイトル」「放送時間」の３項目を、番組情報表示欄として表示する。
【０１８６】
レコード６０ｂは、「情報量を優先した表示」（詳細情報表示）の場合の表示量設定情報を示している。より具体的には、上記詳細情報表示の設定が選択された場合には、上述の３つの番組情報項目に、項目「番組詳細情報」も加えて、番組情報表示欄として表示する。
【０１８７】
図１４は、上記詳細情報表示の設定が選択された場合の、番組情報表示欄５１の表示例を示す図である。番組情報表示欄５１には、図８の番組情報項目「放送局名」「タイトル」「放送時間」に加えて、番組詳細情報５４も含めて表示される。
【０１８８】
なお、ユーザがいずれの表示量設定を選択するかは、図５のメニュー画面４０で表示文字サイズの設定を選択するときと同様に、操作部１０３を用いて、あらかじめ設定できるようにしておく。ここで、簡易情報表示（レコード６０ａ）が選択されれば、表示量設定ＩＤの値「１１」が、一方、詳細情報表示（レコード６０ｂ）が選択されれば、表示量設定ＩＤの値「１２」が、表示量設定保持部４０６に、一時的に保持される。
【０１８９】
次に、表示時間算出部１０１ｃが、番組情報表示欄として表示する番組情報の項目の数を示す「表示項目数」（属性６２）を用いて、画像表示時間を算出する方法を説明する。
【０１９０】
例えば、表示項目数のはじめの３項目については１０秒、それ以上は１項目につき１０秒加算するという算出ルールが設定されているとする。表示時間算出部１０１ｃは、表示量設定保持部４０６に、値「１１」が保持されていた場合は、項目数が３であることから、画像表示時間を、１０秒として算出する。また、表示量設定保持部４０６に、値「１２」が保持されていた場合は、項目数が４であることから、画像表示時間を２０秒として算出する。これにより、画像表示時間は、番組情報表示欄として表示するべき情報量に比例して、長く確保される。
【０１９１】
次に、図１２に示す番組情報表示装置が、番組情報表示欄５１（図８または図１４）を表示させるときの処理の流れについて、図１５に示すフローチャートを参照しながら以下に説明する。
【０１９２】
なお、ここでは、ユーザによって、あらかじめメニューから、「見易さを優先した表示」のための設定（簡易情報表示）または「情報量を優先した表示」のための設定（詳細情報表示）のいずれかが選択され、表示量設定保持部４０６には、上記の設定を特定するための表示量設定ＩＤ「１１」「１２」（図１３）のいずれかの値が保持されているものとする。
【０１９３】
まず、ユーザが第２操作部１０３ｂを操作することにより、現在放送中の番組についての番組情報表示欄の表示を指示する指示信号が入力されると（Ｓ３１のＹｅｓ）、ＥＰＧ制御部１０１ａは、図８または図１４のいずれの番組情報表示欄５１を表示するのかを判定するために、表示量設定保持部４０６を参照し、保持されている表示量設定ＩＤに基づき、表示量の設定を判定する（Ｓ３２）。
【０１９４】
ここで、表示量設定ＩＤ「１１」が保持されていると判定した場合は、表示量設定情報テーブル４０５（図１３）から、表示量設定ＩＤ「１１」に対応付けられている、表示項目３つ「放送局名」「タイトル」「放送時間」を取得する（Ｓ３３）。
【０１９５】
続いて、ＥＰＧ制御部１０１ａは、上記取得した表示項目に基づき、番組情報ＤＢ１０２ａから、現在の番組に関する番組情報を取得する（Ｓ３４）。グラフィックス生成部１０４は、上記取得された番組情報を用いて、番組情報画像を生成する（Ｓ３５）。これにより、図８に示される番組情報表示欄５１の番組情報画像が生成される。
【０１９６】
次に、表示時間算出部１０１ｃは、表示量設定保持部４０６を参照して値「１１」が保持されていると判定すると、表示量設定ＩＤ「１１」に対応付けられている、表示項目数「３」を取得する。続いて、例えば、上で述べたような方法を用いて、表示項目数「３」から、画面表示時間「１０秒」を算出する（Ｓ３６）。
【０１９７】
一方、Ｓ３２において、表示量設定ＩＤ「１２」が保持されていると判定した場合は、ＥＰＧ制御部１０１ａは、表示量設定情報テーブル４０５（図１３）から、表示量設定ＩＤ「１２」に対応付けられている、表示項目４つ「放送局名」「タイトル」「放送時間」および「番組詳細情報」を取得する（Ｓ３７）。
【０１９８】
続いて、ＥＰＧ制御部１０１ａは、Ｓ３４と同様に、取得した表示項目に基づいて、現在の番組に関する番組情報を取得する（Ｓ３８）。グラフィックス生成部１０４は、上記取得された番組情報を用いて、番組情報画像を生成する（Ｓ３９）。これにより、図１４に示される、番組詳細情報５４を含む番組情報表示欄５１の番組情報画像が生成される。
【０１９９】
次に、表示時間算出部１０１ｃは、表示量設定保持部４０６を参照して値「１２」が保持されていると判定すると、表示量設定ＩＤ「１２」に対応付けられている、表示項目数「４」を取得する。続いて、表示項目数「４」から、画面表示時間「２０秒」を算出する（Ｓ４０）。
【０２００】
上記Ｓ３６（またはＳ４０）にて、表示時間算出部１０１ｃにより算出された画面表示時間は、ＯＳＤ制御部１０１ｂが、画像重畳部６を制御するのに用いる。ＯＳＤ制御部１０１ｂは、グラフィックス生成部１０４が生成した、上記番組情報画像を表示させるよう、画像重畳部６を制御する。これにより、画像重畳部６は、図８（または、図１４）の番組情報表示欄５１を映像データに重畳させて画面５０に表示する（Ｓ４１）。
【０２０１】
続いて、ＯＳＤ制御部１０１ｂは、Ｓ４１にて番組情報表示欄５１が表示されてからの経過時間を計測し、Ｓ３６（または、Ｓ４０）にて、表示時間算出部１０１ｃが算出した画像表示時間「１０秒（２０秒）」になるまで、番組情報表示欄５１が表示されるよう画像重畳部６の制御を続ける（Ｓ４２のＮｏ）。
【０２０２】
ここで、上記経過時間が、上記画像表示時間に達したと判定した場合は（Ｓ４２のＹｅｓ）、ＯＳＤ制御部１０１ｂは、画像重畳部６を制御し、上記番組情報画像を映像データに重畳することを停止するよう指示する。これにより、画像重畳部６は、これまで表示していた番組情報表示欄５１を画面５０に表示することを停止する（Ｓ４３）。
【０２０３】
上記構成によれば、ユーザがあらかじめ設定している番組情報表示欄の表示量設定情報に基づいて、番組情報表示欄の画像表示時間が変更される。具体的には、表示項目数が３と設定されている表示形態（簡易情報表示）が選択されている場合は、１０秒間、表示項目数が４と設定されている表示形態（詳細情報表示）が選択されている場合には、２０秒間、番組情報表示欄が表示される。
【０２０４】
これにより、情報量の多い番組情報表示欄を表示することを選択したユーザが、番組情報表示欄のすべての情報を読み取るのに十分な時間を確保できるよう、ＯＳＤ表示による番組情報表示欄の画像表示時間を長くし、番組情報表示欄に示された内容を最後まで読み取れるようにすることができる。一方、情報量の少ない簡易の番組情報表示欄を表示することを選択したユーザが、すべての情報を読み取るのには、短い時間で十分であることから、ＯＳＤ表示による番組情報表示欄の画像表示時間を短くし、できるだけテレビ放送などの視聴を邪魔しないようにすることができる。
【０２０５】
なお、本実施の形態では、表示形態情報を、２つの表示形態（簡易情報表示と詳細情報表示と）に対応付け、それを選択できるようにしているが、これに限定されるものではない。ユーザが任意に表示項目数を設定するようにして、その表示項目数に基づいて、画像表示時間が算出されるようにしてもよい。
【０２０６】
また、本実施の形態では、番組情報表示欄の表示項目数に基づいて、画像表示時間を算出したが、ユーザの情報読み取り時間に大きな影響を与える項目、例えば、図１４の番組詳細情報５４を表示するか否かに基づいて、画像表示時間を算出するようにしてもよい。
【０２０７】
また、本実施の形態を上述の実施の形態２と組み合わせて、選択された文字サイズ（大か小か）と、表示するべき項目数との両方を考慮して、画像表示時間を設定・算出することも可能である。これにより、ユーザの情報の読み取りの速さと、表示される情報量とに基づいて、画像表示時間が算出されるので、より適切な表示時間を維持して、ユーザが必要な情報を必要かつ十分に提示することが可能となる。
【０２０８】
これにより、ユーザは、誰でも簡単に理解できるユーザインターフェースを用いることによって、ユーザにとって必要な情報が必要かつ十分に提示されるよう、上記電子番組表作成装置を簡便に操作することが可能となる。
【０２０９】
本発明は上述した各実施の形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２１０】
最後に、電子番組表作成装置１００および番組情報表示欄作成装置３００（４００）の各ブロック、特にＥＰＧ制御部１０１ａおよびＯＳＤ制御部１０１ｂは、ハードウェアロジックによって構成してもよいし、次のようにＣＰＵを用いてソフトウェアによって実現してもよい。
【０２１１】
すなわち、電子番組表作成装置１００および番組情報表示欄作成装置３００（４００）は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子番組表作成装置１００および番組情報表示欄作成装置３００（４００）の制御プログラムのプログラムコード（実行形式プログラム、中間コードプログラム、ソースプログラム）をコンピュータで読み取り可能に記録した記録媒体を、上記電子番組表作成装置１００および番組情報表示欄作成装置３００（４００）に供給し、そのコンピュータ（またはＣＰＵやＭＰＵ）が記録媒体に記録されているプログラムコードを読み出し実行することによっても、達成可能である。
【０２１２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２１３】
また、電子番組表作成装置１００および番組情報表示欄作成装置３００（４００）を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２１４】
また、本発明に係るテレビ放送受信装置は、テレビ放送受信機において、電子番組表を作成するのに必要な番組情報が記憶される番組情報記憶手段と、上記電子番組表において表示される情報量の違いによる表示形態を特定するための表示形態情報が複数種類記憶される表示形態情報記憶手段と、上記表示形態情報記憶手段に記憶された複数の表示形態情報から一つの表示形態情報を選択する表示形態情報選択手段と、上記表示形態情報選択手段によって選択された表示形態情報を特定する選択情報が一時的に格納される一時格納手段とを備え、上記一時格納手段に格納された選択情報によって特定された表示形態情報と、上記番組情報記憶手段に記憶された番組情報とに基づいて上記電子番組表を作成する電子番組表作成装置と、チャンネル番号または番組情報を映像に重畳して表示する情報重畳手段と、上記チャンネル番号または番組情報を、チャンネル選局時もしくは視聴者による操作で映像に重畳して表示を開始して、一定時間経過後に消去する自動表示・消去手段を備え、表示形態情報記憶手段に記憶された複数の表示形態情報に連動して、上記自動表示・消去手段が表示する表示時間を選択することを特徴としている。
【０２１５】
上記の構成によれば、情報量を優先して小さな文字で多くの情報を表示する表示形態を選択した視聴者には、映像を隠して番組情報を表示する時間を短くすることができる。逆に文字を大きく表示することを優先して、情報量が少ない表示を選択した視聴者には、番組情報の表示時間を長くすることが可能となる。
【０２１６】
また、この表示時間を調整するこの機能の対象となるＯＳＤ画面は、チャンネル情報に限らず、画面上に表示する各種の以上を示す警告画面、臨時放送や緊急放送へ誘導する案内画面など、あらゆる表示画面にも適応できる。
【産業上の利用可能性】
【０２１７】
電子番組表の表示形態（情報量優先表示、ユーザ視認性優先表示）の何れかを簡単に利用することができるので、テレビ放送が受信可能な携帯電話やＰＤＡ（Personal Digital Assistants)等の携帯端末装置のような表示領域の限られた装置、すなわち表示可能な情報量に制限の厳しい装置に適用できる。
【図面の簡単な説明】
【０２１８】
【図１】本発明の実施形態を示すものであり、番組情報表示装置の要部構成を示すブロック図である。
【図２】図１に示す番組情報表示装置を備えたテレビ放送受信機の要部構成を示すブロック図である。
【図３】図１に示す番組情報表示装置に含まれる文字サイズ設定情報テーブルの一例を示す図である。
【図４】（ａ）は電子番組表を拡大表示した場合の表示例を示す図であり、（ｂ）は電子番組表を広角表示した場合の表示例を示す図である。
【図５】図４に示す拡大表示および広角表示を選択するためのメニュー画面の表示例を示す図である。
【図６】拡大表示および広角表示の何れかを選択するための表示形態情報選択処理の流れを示すフローチャートである。
【図７】電子番組表の表示処理の流れを示すフローチャートである。
【図８】図２に示す映像出力部に出力された番組情報画像を重畳させた映像データを、テレビ放送受信機の表示画面に表示したときの例を示す図である。
【図９】本発明の他の実施の形態に係る番組情報表示装置を適用した、テレビ放送受信機の要部構成を示すブロック図である。
【図１０】図９に示す番組情報表示装置に含まれる表示形態設定情報テーブルの一例を示す図である。
【図１１】図９に示す番組情報表示装置が、図８示す番組情報表示欄を表示させるときの処理の流れを示すフローチャートである。
【図１２】本発明のさらに他の実施の形態に係る番組情報表示装置を適用した、テレビ放送受信機の要部構成を示すブロック図である。
【図１３】図１２に示す番組情報表示装置に含まれる表示量設定情報テーブル一例を示す図である。
【図１４】図２に示す映像出力部に出力された番組情報表示欄を重畳させた映像データを、テレビ放送受信機の表示画面に表示したときの例を示す図である。
【図１５】図１２に示すテレビ放送受信機が、図８または図１４に示す番組情報表示欄を表示させるときの処理の流れを示すフローチャートである。
【符号の説明】
【０２１９】
１    テレビ放送受信機（テレビ放送受信装置）
２    デジタル放送用チューナ・復調部
３    ＴＳデコーダ
４    ＡＶデコーダ
５    音声出力部
６    画像重畳部（画像重畳手段）
７    映像出力部（表示部）
８    外部インターフェース
３０ａ  レコード
３０ｂ  レコード
３１〜３４  属性
４０    メニュー画面（ＧＵＩ画面）
４０ａ  ボタン
４０ｂ  ボタン
４１ａ  電子番組表（ＧＵＩ画面）
４１ｂ  電子番組表（ＧＵＩ画面）
４３ａ  時間欄
４３ｂ  時間欄
４４ａ  サービス欄
４４ｂ  サービス欄
１００  電子番組表作成装置
１０１  ＣＰＵ
１０１ａ  ＥＰＧ制御部
１０１ｂ  ＯＳＤ制御部（表示画像制御手段）
１０１ｃ  表示時間算出部（表示時間算出手段）
１０２  メモリ
１０２ａ  番組情報ＤＢ
１０３  操作部（表示形態情報選択手段、表示形態情報設定手段）
１０３ａ  第１操作部
１０３ｂ  第２操作部
１０４  グラフィックス生成部（番組情報表示欄作成手段）
１０５  文字サイズ設定情報テーブル（表示形態情報記憶手段）
１０６  文字サイズ設定保持部（一時格納手段）
２００  表示部
３００  番組情報表示欄作成装置（電子番組表作成装置）
３０５  表示形態設定情報テーブル（表示形態情報記憶手段）
４００  番組情報表示欄作成装置（電子番組表作成装置）
４０５  表示量設定情報テーブル（表示形態情報記憶手段）
４０６  表示量設定保持部（一時格納手段）
【図１】
2006246427.tif 000003
【図２】
2006246427.tif 000004
【図３】
2006246427.tif 000005
【図５】
2006246427.tif 000006
【図６】
2006246427.tif 000007
【図７】
2006246427.tif 000008
【図９】
2006246427.tif 000009
【図１０】
2006246427.tif 000010
【図１１】
2006246427.tif 000011
【図１２】
2006246427.tif 000012
【図１３】
2006246427.tif 000013
【図１５】
2006246427.tif 000014
【図４】
2006246427.tif 000015
【図８】
2006246427.tif 000016
【図１４】
2006246427.tif 000017